(57)【要約】      （修正有）【課題】雨や雪の浸入を防止し、周囲の音も良く聞こえ、自動車などの接近を察知し危険を回避でき、更に携帯電話をフードの中へ入れて会話することができる自転車搭乗者用レインコートを提供する。【解決手段】防水機能と撥水機能を有する上着とフード２とが一体となったレインコート１であって、フード２の顔面開口部４にファスナ４ａによって着脱可能なフェースフード３と、フード２の左右の耳部に、イヤーパッド６ａ，６ｂと携帯電話用開口部８ａ，８ｂとを有する。【選択図】図１
0003161931.tif 000002
【実用新案登録請求の範囲】
【請求項１】
防水機能と撥水機能を有する上着とフードとが一体となったレインコートであって、
前記フードの顔面開口部にファスナによって着脱可能なフェースフードと、前記フードの左右の耳部に、イヤーパッドと携帯電話用開口部とを有することを特徴とする自転車搭乗者用レインコート。
【請求項２】
前記フェースフードは、透明な樹脂から形成され、且つ複数の穴が穿孔されていることを特徴とする請求項１記載の自転車搭乗者用レインコート。
【請求項３】
前記フードの左右の耳部に形成された前記イヤーパッドが、複数の穴が穿孔されたパッド部と吸水シートとが貼り合わされた積層構造を有し、更に前記イヤーパッドに雨の浸入を防止するレインガードを有することを特徴とする請求項１記載の自転車搭乗者用レインコート。
【考案の詳細な説明】
【技術分野】
【０００１】
本考案は、雪や雨などでの野外作業及び自転車搭乗などに着用するフード付きレインコートであって、特に顔面からの雪や雨の浸入を防止することができ、周囲の音を聞き分けて安全を確保できる自転車搭乗者用レインコートに関する。
【背景技術】
【０００２】
従来のフード付きレインコート３１は、風雨の中の野外作業や自転車搭乗などの傘を差せない場合、図４に示すように、頭部を覆うフード３２を装着しても、視界を確保する顔面前方の開口部から、雪、雨などの浸入を防ぐことが難しい構造となっている。そのため、多種多様なフード構造が紹介されている。
【０００３】
雨や雪の中での自転車やオートバイに乗るときや屋外作業をする際、またスポーツ観戦するときでも、確実に防水、防雪および防寒を実現する雨具が紹介されている（例えば、特許文献１参照）。
【０００４】
また、雨や雪または放水時に、頭から着衣のままスッポリと被ることで全身を覆う雨具が紹介されている（例えば、特許文献２参照）。
【先行技術文献】
【特許文献】
【０００５】
【特許文献１】特開平６−３４１００３号公報
【特許文献２】実用新案登録３１２３０１１号公報
【考案の概要】
【考案が解決しようとする課題】
【０００６】
しかし、従来のフード付きレインコートの大半は、視界を確保する必要性から顔面前方の開口部を設けるため、顔面が濡れたり、顔とフードの隙間から雪、雨などの浸入を防ぐことが難しく、また頭部に従来のフードを被ることで周囲の音が遮断され、自動車のクラクションや電車の接近音が聞こえない等、危険を回避し難いという構造上の問題がある。
【０００７】
また、特許文献１，２の示した雨具の場合は、頭部或いは全身を覆う構造で、作業中に暑さを解消するため、顔面だけ一時的に外気にさらすことができないという問題がある。
【０００８】
また、携帯電話を使用して会話する際、雨具の外から携帯電話を押し当てた状態で使用するため、心理的な不便さを感じるという問題がある。
【０００９】
本考案は上述の課題に鑑みてなされたもので、頭部を覆うフードに、着脱式の透明なフェースフード具備するため雨や雪の浸入を防止し、またイヤーパッドを有することで周囲の音も良く聞こえて自動車などの接近を察知し危険を回避でき、更に携帯電話をフードの中へ入れて会話することができる携帯電話用開口部を備えた自転車搭乗者用レインコートを提供することを目的とする。
【課題を解決するための手段】
【００１０】
本考案は上記の目的を達成するため、以下（１）〜（３）の構成を備えるものである。
【００１１】
（１）防水機能と撥水機能を有する上着とフードとが一体となったレインコートであって、前記フードの顔面開口部にファスナによって着脱可能なフェースフードと、前記フードの左右の耳部に、イヤーパッドと携帯電話用開口部とを有することを特徴とする自転車搭乗者用レインコート。
【００１２】
（２）前記フェースフードは、透明な樹脂から形成され、且つ複数の穴が穿孔されていることを特徴とする前記（１）記載の自転車搭乗者用レインコート。
【００１３】
（３）前記フードの左右の耳部に形成された前記イヤーパッドが、複数の穴が穿孔されたパッド部と吸水シートとが貼り合わされた積層構造を有し、更に前記イヤーパッドに雨の浸入を防止するレインガードを有することを特徴とする前記（１）記載の自転車搭乗者用レインコート。
【考案の効果】
【００１４】
本考案によれば、風雨の中での自転車搭乗時に傘をさして片手運転する行為が道路交通法の改正で禁止されたことに伴い、頭部を覆うフードに、着脱式の透明なフェースフード具備することで雨や雪の浸入の防止と良好な前方視界を確保し、またイヤーパッド６を設けることで周囲の音も良く聞こえ自動車などの接近を察知し危険を回避することができる。更に、携帯電話をフードの中へ入れて会話するための携帯電話用開口部を備え、携帯電話を使用する際の心理的な不便さを解消した自転車搭乗者用レインコートを提供することができる。
【図面の簡単な説明】
【００１５】
【図１】（ａ）本考案の自転車搭乗者用レインコートの外観図、（ｂ）本考案の自転車搭乗者用レインコートの着用例を示す図
【図２】（ａ）本考案の自転車搭乗者用レインコートのフードの構造図、（ｂ）フェースフードの構造図、（ｃ）イヤーパッドの構造図
【図３】（ａ）携帯電話用開口部の使用例を示す図、（ｂ）携帯電話用開口部の通風機能を示す図
【図４】従来のフード付きレインコート
【考案を実施するための形態】
【００１６】
以下、本考案を実施するための形態を、図面により詳しく説明する。
【実施例】
【００１７】
図１の本考案に係る自転車搭乗者用レインコートについて、図１（ａ）の外観図、図１（ｂ）着用例で説明する。図中において、１は全身を覆う自転車搭乗者用レインコート、２は頭部を覆うフードで、防水及び撥水機能を備えた素材の織布或いはシートを裁断して縫製され、ボタン或いはファスナを備えた上着とフードで構成されたレインコートである。３は顔面を覆う透明な樹脂を素材とするフェースフード、４はフェースフード３の着脱部で、フード２からフェースフード３を着脱する際は、ファスナ４ａを開閉して着脱することができる。５はフェースフード３の通気口で、鼻と口に当たる部分、或いはフェースフード３全面に径１ｍｍの穴が複数穿孔され、他人と会話する場合や呼吸する際に透明なフェースフード３が息で曇ることを防止し、またフード２の内部を冷却するため、携帯電話用開口部８を開放した際の通風にも使用される。６はイヤーパッドで、右イヤーパッド６ａと左イヤーパッド６ｂが左右の耳部の位置に形成され、外部の音が聞こえるように径２ｍｍの穴が複数穿孔されている。７はイヤーパッド６のレインガードで、左右のイヤーパッド６ａ、６ｂの上部にひさし状の右レインガード７ａ、左レインガード７ｂが夫々形成され、雨の浸入防止と音の集音機能とを有している。８は携帯電話用開口部で、左右のイヤーパッド６の下部に夫々の右携帯電話開口部８ａと左携帯電話開口部８ｂが、ファスナ８ｃ、８ｄで開閉することで携帯電話をフード部２の中に入れて会話することが可能であり、また自転車で走行中に携帯電話用開口部８を開放すると、フェースフード３の通気口５から外気を取り込んでフード２の内部を冷却する通風機能もある。
【００１８】
図１（ｂ）に示す自転車搭乗者用レインコートの着用例より、例えば自転車による通園、通学時、風雨や風雪等の傘をさせない状況で透明なフェースフード３を着用した際、フェースフード３の通気口５の働きで、息に含まれる水分でフェースフード３が曇ることがない良好な前方視界を確保している。また従来のフード３２を被った際に周辺の音が遮断され、自動車のクラクションや電車の接近が聞こえない等の従来のレインコート３１が持つ問題を、フード２の左右の耳部に相当する位置にイヤーパッド６を形成することで周辺の音も良く聞こえ、自動車や電車等の接近を察知して危険を回避でき、安全性を確保している。
【００１９】
図２（ａ）に示す本考案の自転車搭乗者用レインコート１のフード２の構造図より、フェースフード３、イヤーパッド６、レインガード７の夫々の構造と機能を説明する。
【００２０】
図２（ｂ）に示す透明なフェースフード３は、着脱部４のファスナ４ａを開閉することにより、フード２に着脱自在に装着される。透明なフェースフード３の材質は、軟質塩化ビニル、ポリプロピレン樹脂、ＰＥＴ樹脂等の透明で柔軟なプラスチック素材が使用され、且つ風圧に押されて顔にフェースフード３が貼り付くことなく顔面から所定の間隔を保持するだけの硬さを有したプラスチック素材で形成されている。
【００２１】
フェースフード３の鼻と口元に相当する位置、或いはフェースフード３の全面には、直径１ｍｍの複数の穴が穿孔され、呼吸や会話の際に吐き出される息に含まれる水分によってフェースフード３の内側が曇ることを防止する排気機能を有した通気口５となっている。直径１ｍｍの穴であれば、水の表面張力の働きでフェースフード３の中に雨水が浸入することは殆どない。
【００２２】
また、雨や雪が止んだ後には圧迫感のあるフェースフード３をフード２から取外して、従来のレインコート３１と同様に顔面を開放、或いはフード２を後方にずらせて頭部を露出させることができる。
【００２３】
図２（ｃ）に示すイヤーパッド６の構造は、周囲の音を聞くために径２ｍｍの穴が複数穿孔されているパッド部６ｃと、その内側には音を伝達するには問題のない不織布等の吸水シート６ｄとを貼り合せた積層構造と成っている。そのため、パッド部６ｃに穿孔された穴から水が入っても吸水シート６ｄで水を吸着し、フード２の中への水の浸入を防止する構造で、吸水シート６ｄで吸着した水分は体温で暖められ蒸発し、撥水機能を備えたフード２の布材を介して外部に発散される。
【００２４】
また、左右イヤーパッド６ａ、６ｂの上部にひさし状に取付けられる左右のレインガード７ａ、７ｂは、フード２を伝って流れ落ちる水滴を後方に振り分けてイヤーパッド６のパッド部６ｃの穿孔された複数の穴から雨水が浸入するのを防止し、且つ周囲の音の集音機能と、音の来る方向を認識できるように後方が長めの耳形状に形成することで、フード２を着用した場合の周囲の音を聞き分けて危険を察知する機能を高める効果が期待できる。
【００２５】
図３は左右のイヤーパッド６の下部に設けられた携帯電話用開口部８で、その構成と機能について説明する。図３（ａ）に示すように左右のイヤーパッド６ａ、６ｂの下側にはファスナ８ｃ、８ｄで開閉できる左右携帯電話開口部８ａ、８ｂが形成され、フード２を着用したままで携帯電話を使用する際に、携帯電話を濡らすことなく使用するための開口部で、フード２の中に携帯電話を入れて使用することができる。そのため積層構造のイヤーパッド６越しに携帯電話を使用した場合に感じる、心理的な不便さを解消することができる。
【００２６】
また、図３（ｂ）に示すように左右携帯電話開口部８ａ、８ｂを開口することで、自転車をこいで汗をかいた場合や体温が上昇した場合に、フェースフード３に穿孔された通気口５から取り込んだ外気で、フード２の内の顔や首などを冷却し風通しを良くする通風効果が期待できる。
【００２７】
尚、本実施例においてフェースフード３の着脱方法と携帯電話用開口部８を、主にジップファスナの開閉で説明したが、ジップファスナだけでなく面ファスナであっても良く、装着されるファスナの種類を限定するものではない。
【００２８】
本考案の自転車搭乗者用レインコートは、風雨の中での自転車搭乗時に傘をさして片手運転する行為が道路交通法の改正で禁止され、違反した場合は罰金が科せられことに伴い、雨天時の自転車による通学、通勤時に着用した際、風雨や周囲の騒音の中で安全を確保する良好な視界と周囲の音を聞き分ける集音機能を備えた自転車搭乗者用レインコートを提供することができる。
【００２９】
そして、漁業関係者が船上や港湾等で作業する際に、強風や豪雨でも十分な視界を確保した上で両手が自由に使え、船の霧笛や港湾を行き交うトラックの警笛等、周囲の音を聞き分けることで身の安全を確保する自転車搭乗者用レインコートを提供することができる。
【００３０】
また、農業関係者が田畑で農作業をする際も、良好な視界と両手が自由に使えるなど便利で、ガードマンが建築現場や工事現場で交通整理をする際は、風雨や周囲の騒音の中で身の安全を確保するために必要な、良好な視界と周辺の音を聞き分ける集音機能を備えており、強風や豪雨の中でも両手を自由に使えるため整理棒ライトの使用や機材の移動等の作業に便利であり、作業車両の動きや作業者の声を聞くことで的確に周囲の安全を確保する指示が出せる等、安全性を備えた自転車搭乗者用レインコートを提供することができる。
【符号の説明】
【００３１】
１    自転車搭乗者用レインコート
２    フード
３    フェースフード
４    着脱部
４ａ  ファスナ
５    通気口
６    イヤーパッド
６ａ  右イヤーパッド
６ｂ  左イヤーパッド
６ｃ  パッド部
６ｄ  吸水シート
７    レインガード
７ａ  右レインガード
７ｂ  左レインガード
８    携帯電話用開口部
８ａ  右携帯電話開口部
８ｂ  左携帯電話開口部
３１  従来のレインコート
３２  フード
【図１】
0003161931.tif 000003
【図２】
0003161931.tif 000004
【図３】
0003161931.tif 000005
【図４】
0003161931.tif 000006